(57)【特許請求の範囲】
【請求項１】
冷媒としてＨＦＯを使用する蒸気圧縮式冷凍サイクルであって、
上記蒸気圧縮式冷凍サイクルは、
上記蒸気圧縮式冷凍サイクル内を循環する冷媒を注入するためのインジェクションポートが設けられた圧縮機と、
このインジェクションポートに近接された圧力及び温度を計測する圧力センサ及び温度センサと、
上記冷媒を圧縮膨張させるように開閉する動作を行う膨張装置と、
上記圧力センサ及び温度センサで得られた圧力及び温度に基づいて、前記膨張装置の開度を制御する制御装置と、を備え、
前記制御装置は、上記蒸気圧縮式冷凍サイクルに関するＰ―Ｈ線図のうち、圧縮工程に相当する部分が、飽和液線と飽和蒸気線とからなる飽和曲線の外側に位置するとともに、臨界圧力よりも下側に位置し、かつ、飽和蒸気線よりも高エンタルピー領域側に位置し、主冷媒配管経由で供給された冷媒と、上記インジェクションポートへ接続される副冷媒配管経由で供給された冷媒と、の２系統の冷媒が上記圧縮機内部で混合されて熱平均された状態が、上記圧縮機が上記圧縮機内部において冷媒を中間圧力にまで圧縮する状態よりも高エンタルピー領域側に位置するように、前記膨張装置を制御することを特徴とする蒸気圧縮式冷凍サイクル。
【請求項２】
上記インジェクションポートへ導入される冷媒配管の近傍に送風式熱交換器を備え、
この送風式熱交換器を用いて上記インジェクションポートから注入される冷媒を加熱することを特徴とする請求項１に記載の蒸気圧縮式冷凍サイクル。
【請求項３】
上記インジェクションポートへ導入される冷媒配管の近傍に循環式熱交換器を備え、
この循環式熱交換器を用いて上記インジェクションポートから注入される冷媒を加熱することを特徴とする請求項１に記載の蒸気圧縮式冷凍サイクル。
【請求項４】
前記膨張装置の入力側と接続する受液器を備え、
前記受液器に溜められた気液２相流状態の冷媒のうち、加熱蒸気となった気相状態のガス部分が前記膨張装置の入力側へ流れこむように、気体冷媒用の出力経路を追加したことを特徴とする請求項１乃至３のいずれかに記載の蒸気圧縮式冷凍サイクル。
【請求項５】
前記制御装置は、
上記インジェクションポートから注入される冷媒が、過熱度２０℃以上の加熱蒸気で、かつ、上記圧縮機内部での高低圧比の０．３５以上となるように、前記膨張装置の開度を制御することを特徴とする請求項１乃至４のいずれかに記載の蒸気圧縮式冷凍サイクル。
【発明の詳細な説明】
【技術分野】
【０００１】
本発明は、低ＧＷＰ冷媒であるＨＦＯ―１２３４ｙＦ，ＨＦＯ―１２３４ｚｅなどのＨＦＯ冷媒を用いた中間インジェクション方式の冷凍サイクルに関し、特にその運転効率の向上に関する。
【背景技術】
【０００２】
従来、例えば、給湯機や空調機に用いられてきた特定フロンの使用は、オゾン層の破壊や地球温暖化を進展させる懸念があり規制の対象となっている。欧州では、Ｆ―ｇａｓ規制などから低ＧＷＰ冷媒への転換が進められている。このような背景から、今後は、既存のＨＦＣ等の冷媒からＨＦＯ冷媒へ転換されることが予想される。
しかし、このＨＦＯ冷媒は従来のＨＦＣ冷媒と比較して、圧縮機出口での冷媒が低密度、低潜熱量、低吐出温度になってしまうという難点がある。このため、この冷媒を給湯・加熱用途に用いる場合にＣＯＰが低下する、すなわち、運転効率の低下が生じていた。【０００３】
ところで、この冷凍サイクル運転効率の効率化については、その一手法として中間インジェクション方式による冷媒効率の向上が行われているが、それによる本冷凍サイクルにおける中間インジェクション回路による成績係数ＣＯＰ（Ｃｏｅｆｆｉｃｉｅｎｔ ｏｆ Ｐｅｒｆｏｒｍａｎｃｅ）の改善は、圧縮機の効率の改善とサイクル効率の改善とにより実現される。一般的に、このサイクル効率を改善するには、冷媒温度を上昇させる。冷媒温度を上昇させると、ガスクーラ側での冷媒循環量が増加して暖房能力とＣＯＰとが向上する。これを実現する具体的な手法の１つとして、例えば、圧縮機の側面に予め中間インジェクションポート入口を設けておき、この部分から加熱ガス状態となった冷媒を注入することが考えられる。【０００４】
この中間インジェクション方式に関し、圧縮機の中間インジェクションポートにおける冷媒の吸入ＳＨ（ス―パ―ヒ―ト：過熱度）と、圧縮機出口での冷媒の吐出温度との関係は図１２に示されるようであり、これを見ると、圧縮機の中間インジェクションポートにおける吸入ＳＨが増加するに従い、圧縮機出口での冷媒の吐出温度、ひいては冷凍サイクルの成績係数ＣＯＰが向上していることが確認できる。【０００５】
この種の従来例としては特許文献１に示されるものがあり、
その従来の蒸気圧縮式冷凍サイクルの概要については、吸入した冷媒を圧縮して吐出する圧縮行程の中間部分に冷媒通過口となるインジェクションポートを有する圧縮機、四方弁、熱源側絞り装置、熱源側熱交換器、負荷側絞り装置及び負荷側熱交換器とから構成され、冷媒が循環するようにそれらを環状に接続されている。
（特許文献１参照）【０００６】
上記の特許文献１の蒸気圧縮式冷凍サイクルの構成を以下実施の形態１の図１を用いて説明する。この構成は基本的には、上記特許文献１と特定構成部品（受液器４）を除き、実質的に同様で、この第１図を従来技術の構成の説明にも適宜用いることとする。【０００７】
この上記の蒸気圧縮式冷凍サイクルは、新冷媒としてＨＦＯを圧縮機１内部に加熱冷媒を注入する中間インジェクションポート１６を有する蒸気圧縮式冷凍サイクル１００であって、圧縮機１と、高温側の熱交換器である凝縮器３と、第２の膨張装置である膨張弁８と、低温側の熱交換器である蒸発器７とを冷媒配管で接続して構成される冷凍サイクルと、この冷凍サイクルを制御する制御装置１８とで構成される蒸気圧縮式冷凍サイクルであり、上記圧縮機１、凝縮器３、膨張弁８、蒸発器７は、冷媒を循環させる冷媒配管で相互に接続されている。【０００８】
また、第１１図のＰ―Ｈ線図（圧力−比エンタルピー線図）を用いて、上記特許文献１による蒸気圧縮式冷凍サイクルの動作を説明する。このＰ―Ｈ線図では、縦軸が冷媒の圧力Ｐ、横軸が冷媒の比エンタルピーＨを示しており、図１１には、飽和液線と飽和蒸気線とからなる飽和曲線（Ｃ）と、Ｐ―Ｈ線（Ｌ）とが描かれている。【０００９】
まず、上記特許文献１に対応したＰ―Ｈ線（Ｌ）の概形を述べると、その概要は、上辺が下辺よりも長い略不等脚台形の部分（前者）と、その不等脚台形の部分に内包されるように右肩上がりの部分に接した平行四辺形部分（後者）との２つの図形が合成されたものである。
以下、前者は、直線ｐ―ｄは上辺、直線ｄ―ｅは短脚辺、直線ｅ―ｆは下辺（下辺＜上辺）、直線ｆ―ｐは長脚辺から構成されている。後者は、直線ａ―ｐは上辺、直線ｐ―ｉは右辺、直線ｉ―ｊは下辺、直線ｊ―ａは左辺から構成されている。なお、ｂとｃとは、重なっており同じ点であるので、ｂ，ｃと表示してある。【００１０】
また、上記略不等脚台形の内側に記載された一点鎖線の部分は、中間インジェクションに相当する。この一点鎖線の部分は、直線ｄ―ｅに平行な直線ｂ―ｇと、直線ｅ―ｆに平行な直線ｇ―ｈとから構成されている。また、ｉ，ｊは、この直線ｇ―ｈの延長線上に位置している。【００１１】
ここで、図１１中に位置しているａからｊまでのそれぞれは、図１中の冷凍サイクルのａからｊまでのそれぞれに対応している。図１において、ａからｊのそれぞれは冷凍サイクルの構成上の位置を示しているが、図１１において、ａからｊはそれら位置に相当する冷媒の状態を示す。【００１２】
第１１図中、ａは圧縮機１の出口に対応する冷媒の状態を示し、圧力がＰａ，比エンタルピーがＨａである。【００１３】
ａからｂに至るまでの期間中においては、状態ａが実線に沿って横軸に平行な左方向に位置する状態ｂに移行する。これは冷媒が凝縮器３を通過する際に、ガス状態から液体状態に凝縮することにより、この冷媒は熱を放出し、エンタルピーを減少することに対応している。状態ｂ（ｃ）では、状態ａと比較して、圧力Ｐｂが不変で圧力がＰｂ（Ｐｃ）＝Ｐａ，比エンタルピーがＨｂ（Ｈｃ）へと減少している。
ｃは、第２の膨張装置８の入口を流れる冷媒の状態を示し、ｃは、ｂと同じ位置にプロットされている。ここで、図１１のＰ―Ｈ線図において、ｂとｃとが同じ位置にプロットされているのは、図１に示す構成で冷媒配管中を流れる冷媒の位置は異なるが、図１１に示すＰ―Ｈ線図上での冷媒の状態（圧力、比エントロピー）は同じためである。【００１４】
ｃからｄに至るまでの期間中においては、状態ｃが実線に沿って横軸に平行な左方向に位置する状態ｄに移行する。これは冷媒が内部熱交換器５を通過する際に、蒸発器７へ接続される主冷媒配管と、インジェクションポート１６へ接続される副冷媒配管（後述する）とが相互に熱交換する。すなわち、主冷媒配管が熱を放出し、副冷媒配管が熱を吸収する。この主冷媒配管を流れる冷媒はそのエンタルピーを減少することに対応している。状態ｄでは、状態ｃと比較して、圧力Ｐｄが不変でＰｄ＝Ｐｃ，比エンタルピーがＨｄへと減少している。【００１５】
ｄからｅに至るまでの期間中においては、状態ｄが実線に沿って縦軸に平行な下方向に位置する状態ｅに移行する。これは冷媒が第１の膨張装置６を通過する際に、冷媒が膨張することにより、圧力が低下することに対応している。状態ｅでは、状態ｄと比較して、比エンタルピーが不変でＨｅ＝Ｈｄ，圧力がＰｅへと減少している。【００１６】
ｅからｆに至るまでの期間中においては、状態ｅが実線に沿って横軸に平行な右方向に位置する状態ｆに移行する。これは冷媒が蒸発器７を通過する際に、液体状態からガス状態に凝縮することにより熱を吸収し、この冷媒はエンタルピーを増加することに対応している。状態ｆでは、状態ｅと比較して、圧力Ｐｆが不変でＰｆ＝Ｐｅ，比エンタルピーがＨｆへと増加している。【００１７】
ｆからｉに至るまでの期間中においては、状態ｆが右肩上がりの直線状の実線に沿って右上方向に位置する状態ｉに移行する。これは圧縮機１が圧縮機１の内部において冷媒を中間圧力にまで凝縮することにより、この冷媒は圧力及びエンタルピーを増加することに対応している。状態ｉでは、圧力ＰｆがＰｉへ増加するとともに、比エンタルピーＨｆがＨｉへと増加している。【００１８】
同様に、中間インジェクションに対応するｂ（ｃ）からｇに至るまでの期間中においては、状態ｂ（ｃ）が一点鎖線に沿って縦軸に平行な下方向に位置する状態ｇに移行する。これは冷媒が第２の膨張装置８を通過する際に、冷媒が膨張することにより、圧力が低下することに対応している。状態ｇでは、状態ｃと比較して、比エンタルピーが不変でＨｇ＝Ｈｃ，圧力がＰｇへと減少している。【００１９】
ｇからｈに至るまでの期間中においては、状態ｇが一点鎖線に沿って横軸に平行な右方向に位置する状態ｈに移行する。これは冷媒が内部熱交換器５を通過する際に、冷媒が熱交換により熱を吸収し、この冷媒はそのエンタルピーを増加することに対応している。状態ｈでは、状態ｇと比較して、圧力Ｐｈが不変でＰｈ＝Ｐｇ，比エンタルピーがＨｈへと増加している。ここで、ｈは飽和曲線（Ｃ）線上、あるいはＣ線の内側にある。【００２０】
ｈ，ｉからｊに至るまでの期間中においては、ｈ，ｉ、ｊは同一直線上にあって、状態ｈが状態ｊに向かって一点鎖線に沿って横軸に平行な右方向に動き、これとは逆に、ｉがｊに向かって一点鎖線に沿って横軸に平行な左方向に位置する状態ｊに移行する。これは、主冷媒配管経由で供給された冷媒と、副冷媒配管経由で供給された冷媒と、の２系統の冷媒が圧縮機１の内部で混合されて熱平均された結果、トータルとしての冷媒のエンタルピーが平均化されることに対応している。状態ｊでは、状態ｉと比較して、圧力Ｐｊが不変でＰｊ＝Ｐｈ＝Ｐｉであり、比エンタルピーＨｊはＨｈとＨｉとの平均値である。【００２１】
ｊからａに至るまでの期間中においては、状態ｊが右肩上がりの直線状の実線に沿って右上方向に位置する状態ａに移行する。圧縮機１がその内部において冷媒を中圧力から高圧力にまで圧縮することにより、この冷媒は圧力及びエンタルピーを増加する。状態ａでは、圧力ＰｊがＰａへ増加するとともに、比エンタルピーＨｊがＨａへと増加する。【００２２】
これで、圧力がＰａ，比エンタルピーがＨａの状態となり、冷媒が、圧縮機１の出口を流れる元の冷媒の状態ａにまで戻って、１サイクルが終了する。
なお、以上の説明から明らかなように、上記Ｐ―Ｈ線（Ｌ）図中にはｆからｉに至るまでの期間の第１の圧縮工程と、ｊからａに至るまでの期間の第２の圧縮工程の二つの圧縮工程が存在し、それら二つの圧縮工程にともに共通して該当する部分は、単に圧縮工程という。
【先行技術文献】
【特許文献】
【００２３】
【特許文献１】特開２０１３―１５２６４号公報（００１４段落、第１図）
【発明の概要】
【発明が解決しようとする課題】
【００２４】
しかし、図１１に示した従来の中間インジェクション方式では、インジェクションポート１６から注入される冷媒に吸入ＳＨを充分に与えられていない。すなわち、図１１において、ｈは飽和蒸気線の曲線上にあり、ｊは飽和蒸気線の少し右側にあり、上記蒸気圧縮式冷凍サイクルに関するＰ―Ｈ線図の圧縮以工程の左側にある。このため、Ｐ―Ｈ線図のうち、圧縮工程に相当する部分が、Ｐ―Ｈ線図上で適正な位置に存在していない。すなわち、これは、制御装置１８が、圧縮機１の内部で冷媒に吸入ＳＨを充分に与えておらず、ｊが飽和蒸気線よりも右側に位置するように膨張弁８を制御できていない。【００２５】
このため、高温側の熱交換器である凝縮器３から発生する熱を利用して２次側での循環水温度を所定の温度（例えば６０℃）にまで加熱上昇させる必要がある等、給湯用に熱を得るためには、この従来のインジェクション方式による運転では、自ずから限界があった。【００２６】
このように、従来のＨＦＣに代替して、新冷媒としてＨＦＯ冷媒を用いた冷凍サイクルにおいては、圧縮機の出口における吐出温度が大きく低下してしまうため、その給湯能力に自ずから限界があり、従来の提案に従ってインジェクション量を決定しても、中間インジェクションによる性能改善効果と信頼性向上効果とが十分には得られない。【００２７】
本発明は上述の課題を解決するためになされたもので、圧縮機出口側での吐出温度が低くなる傾向があるＨＦＯ冷媒を用いた場合にも、冷媒の吐出温度の低下を防止して、高効率な給湯・加温用冷凍サイクルを得るものである。
【課題を解決するための手段】
【００２８】
本発明の蒸気圧縮式冷凍サイクルは、
冷媒としてＨＦＯを使用する蒸気圧縮式冷凍サイクルであって、
上記蒸気圧縮式冷凍サイクルは、
上記蒸気圧縮式冷凍サイクル内を循環する冷媒を注入するためのインジェクションポートが設けられた圧縮機と、
このインジェクションポートに近接された圧力及び温度を計測する圧力センサ及び温度センサと、
上記冷媒を圧縮膨張させるように開閉する動作を行う膨張装置と、
上記圧力センサ及び温度センサで得られた圧力及び温度に基づいて、前記膨張装置の開度を制御する制御装置と、を備え、
前記制御装置は、上記蒸気圧縮式冷凍サイクルに関するＰ―Ｈ線図のうち、圧縮工程に相当する部分が、飽和液線と飽和蒸気線とからなる飽和曲線の外側に位置するとともに、臨界圧力よりも下側に位置し、かつ、飽和蒸気線よりも高エンタルピー領域側に位置し、主冷媒配管経由で供給された冷媒と、上記インジェクションポートへ接続される副冷媒配管経由で供給された冷媒と、の２系統の冷媒が上記圧縮機内部で混合されて熱平均された状態が、上記圧縮機が上記圧縮機内部において冷媒を中間圧力にまで圧縮する状態よりも高エンタルピー領域側に位置するように、前記膨張装置を制御するものである。
【発明の効果】
【００２９】
発明に係る蒸気圧縮式冷凍サイクルは、中間インジェクション方式の圧縮機内にインジェクションされた冷媒の温度を圧縮機内部で適正な過熱状態に保ち、ＨＦＯ冷媒を用いた場合であっても圧縮機の内部に注入することにより引き起こされる圧縮機の出口における吐出温度の低下の防止、ひいては冷凍サイクルの運転効率（ＣＯＰ）を改善することができる。
【図面の簡単な説明】
【００３０】
【図１】本発明の実施の形態１を示す蒸気圧縮式冷凍サイクル１００の回路図である。
【図２】実施の形態１に係る、冷媒の状態を示すＰ―Ｈ線図である。
【図３】中間インジェクションポート１６に加熱冷媒を供給した場合の、吐出温度上昇のイメージを表したＰ―Ｈ線図である。
【図４】実施の形態１に係る、第２の膨張装置８の開度制御フロー図である。
【図５】実施の形態２に係る、送風式熱交換器１０を用いた場合の蒸気圧縮式冷凍サイクル２００の回路図である。
【図６】実施の形態２に係る、信号の流れの概要を示すブロック図である。
【図７】実施の形態２の変形例に係る、制御盤の排熱を用いた場合の蒸気圧縮式冷凍サイクル３００の回路図である。
【図８】実施の形態３に係る、圧縮機１の排熱を利用した場合の蒸気圧縮式冷凍サイクル４００の回路図である。
【図９】実施の形態３に係る、信号の流れの概要を示すブロック図である。
【図１０】実施の形態４に係る、受液器４内のガス冷媒インジェクションを利用する場合の蒸気圧縮式冷凍サイクル５００の回路図である。
【図１１】従来のインジェクション回路９に係る、冷媒の状態を示すＰ―Ｈ線図である。
【図１２】中間インジェクションポート１６における吸入ＳＨと成績係数ＣＯＰの関係を示したものである。
【発明を実施するための形態】
【００３１】
実施の形態１．
図１は、この発明の実施の形態１に係る、蒸気圧縮式冷凍サイクル１００の全体を示している。以下、一例として、家庭用の給湯機や、ビル用の給湯機として設置される給湯用冷凍サイクルとして説明する。
【００３２】
具体的詳細な構成を説明するに先立ち、まず、蒸気圧縮式冷凍サイクル１００とそれを構成する主要回路について述べる。
【００３３】
以下、実施の形態１について第１図に基づいて、具体的に述べる。
蒸気圧縮式冷凍サイクル１００は、冷媒を圧縮する圧縮機１と、冷媒の流れ方向を変更する四方弁２と、凝縮器３と、高圧液冷媒を溜める高圧容器である受液器４と、熱交換する内部熱交換器５と、蒸発器７と、冷媒を膨張する第１の膨張装置６及び第２の膨張装置８と、インジェクションポート１６から注入する冷媒を加熱するインジェクション回路９と、から構成されている。
また、インジェクションポート１６の入口近傍には、冷媒の圧力及び温度を計測する圧力センサ１３及び温度センサ１４が設けられており、更に上記第２の膨張装置８の開度を制御する制御装置１８が設けられている。そして、この制御装置１８は上記圧力センサ１３及び、温度センサ１４で得られた冷媒の情報をもとに、第２の膨張装置８の開度を制御する機能を有する。
【００３４】
受液器４は、凝縮器３の出力側と第２の膨張装置８の入力側とを接続する配管の途中経路に設置されており、この受液器４に溜められた気液２相流状態の冷媒が、後述する主冷媒配管の途中から分岐されている。そして、この受液器４に溜められた気液２相流状態の冷媒のうち、一方が第２の膨張装置８を介して内部熱交換器５の上側の入口、他方が内部熱交換器５の下側の入口に流入する。
【００３５】
内部熱交換器５は、内部において、受液器４と膨張装置６とを結ぶ主冷媒配管と、第２の膨張装置８を介して受液器４と膨張装置６とを結ぶ副冷媒配管と、の２系統の冷媒配管が近接するように並べられており、この主冷媒配管を流れる冷媒とこの副冷媒配管を流れる冷媒との間で互いに熱交換が行われる。この結果、主冷媒配管から副冷媒配管へは熱が放出され、副冷媒配管から主冷媒配管へは熱が吸収されて、主冷媒配管を流れる冷媒の温度は低下し、副冷媒配管を流れる冷媒の温度は上昇する。
【００３６】
第１の膨張装置６及び、第２の膨張装置８は、それぞれ主冷媒配管及び、副冷媒配管において冷媒を圧縮膨張させるよう膨張弁が使用される。インジェクション回路９は、この副冷媒配管を含みインジェクションポート１６から圧縮機１内部へ注入される冷媒を加熱する。
【００３７】
インジェクションポート１６は、加熱ガス状態となった冷媒を圧縮機１内部へ注入するために圧縮機１の側面に形成されている。また、圧力センサ１３及び、温度センサ１４は、インジェクションポート１６に近接して設置され、冷媒の圧力及び、温度を計測している。また、内部熱交換器５の入口にも温度センサ１７が設置されている。さらに、外気温度センサ１５は凝縮器３の近傍に配置されており、この凝縮器３近傍での空気温度を計測している。
【００３８】
そして、制御装置１８は、通信線等を介して第２の膨張装置８に接続されており、圧力センサ１３及び、温度センサ１４で得られた冷媒の情報をもとに、第２の膨張装置８の開閉動作を制御する。例えば、制御装置１８は、上記圧縮機インジェクションポートから注入される冷媒が、過熱度２０℃以上の加熱蒸気で、かつ、圧縮機内部での高低圧比の０．３５以上となるように、上記第２の膨張装置８の開度を制御する。
【００３９】
なお、凝縮器３が高温側の熱交換器に対応しており、凝縮器３で得られた高熱は２次側での高温用の熱源として利用される。同様に、蒸発器７が低温側の熱交換器に対応しており、蒸発器７で得られた低熱は２次側での低温用の熱源として利用される。
【００４０】
まず、この実施例のＰ―Ｈ線（Ｌ）の概形を述べる。
本願発明の蒸気圧縮式冷凍サイクルの動作は後述されるが、その概要は図１１に示された状態ｈ，ｊが右側にシフトする点（高エンタルピー領域側にシフトしている）を除き、従来のＰ―Ｈ線図と同じであるので説明を省略し、従来との相違点を主体に図２で説明する。
【００４１】
第２図におけるＰ―Ｈ線（Ｌ）の概形は、上辺が下辺よりも長い略不等脚台形の部分（前者）と、その不等脚台形の部分の右肩上がりの部分に接した平行四辺形部分（後者）との２つの図形が合成されたものである点は同じであるが、後者は前者の外側にある点が異なる。
また、図２中に位置しているａからｊまでのそれぞれ（冷媒の状態）が、図１中の冷凍サイクルのａからｊまでのそれぞれ（冷凍サイクルの構成上の位置）に対応している点は同じであるが、本願発明の蒸気圧縮式冷凍サイクルの動作は図２に対応している点が異なる。
【００４２】
本願発明の蒸気圧縮式冷凍サイクルの動作期間を第一の期間（ａからｇに至るまでの期間）、第二の期間（ｇからｈに至るまでの期間）、第三の期間（ｈからａに至るまでの期間）の３つの期間に区分けして考える。このうち、第一の期間と第三の期間は従来と同じである。ここでは、従来と異なる第二の期間（ｇからｈに至るまでの期間）について、重点的に述べる。
【００４３】
ｇからｈに至るまでの期間中においては、状態ｇが一点鎖線に沿って横軸に平行な右方向に位置する状態ｈに移行する。これは冷媒が内部熱交換器５を通過する際に、冷媒が熱交換により熱を吸収し、この冷媒はそのエンタルピーを増加することに対応している。状態ｈでは、状態ｇと比較して、圧力Ｐｈが不変でＰｈ＝Ｐｇ，比エンタルピーがＨｈへと増加していることに対応している。ここで、ｈは飽和曲線（Ｃ）線の外側にある。
すなわち、点ｇから点ｈに至るまでの期間中においては、状態ｇが一点鎖線に沿って横軸に平行な右方向に図１１で説明したよりさらに大きく動いている。これは、冷媒が内部熱交換器５を通過する際に、冷媒が熱交換により図１１で説明したよりも多くの熱を吸収していることを示しており、この熱を吸収した冷媒がこのインジェクションポート１６から供給され、圧縮機１の内部の冷媒のエンタルピーがさらに増加している。
【００４４】
さらに、具体的に説明すると、先に第１１図を用いて説明した従来のＰ―Ｈ線図よりも状態ｈ，ｊが高エンタルピー領域側（右側）にシフトしている。即ち、本願発明実施の形態１では圧縮機１の内部で冷媒の比エンタルピーを増大していることがわかる。
【００４５】
以上のように、上記蒸気圧縮式冷凍サイクル１００に関する第２図のＰ―Ｈ線図のうち、それら二つの圧縮工程に対応する部分が共に、以下の３条件を満足する領域に存在する。
条件１：飽和液線と飽和蒸気線とからなる飽和曲線（Ｃ）の外側に位置する。
条件２：臨界圧力よりも下側に位置する。（換言すれば、Ｐ―Ｈ線（Ｌ）上の状態ｈ，ｊが状態ａ，ｐよりも下側にある）
条件３：飽和蒸気線よりも充分に高エンタルピー領域側に位置する。（換言すれば、Ｐ―Ｈ線（Ｌ）上の状態ｈ，ｊが状態ｉよりも右側にある）
すなわち、これは、制御装置１８が、圧縮機１の内部で冷媒に吸入ＳＨを充分に与えて、点ｊが飽和蒸気線よりも右側に位置するように膨張弁８の開閉動作を制御していることに他ならない。
【００４６】
また、点ａから点ｐに至る直線ａ―ｐの部分が、冷媒の吐き出し温度の上昇分ΔＨを示している。（図３参照）。
【００４７】
蒸気圧縮式冷凍サイクル１００における、第２の膨張装置８の開度制御による冷媒温度の調節は、図４に示す処理手順（以下ステップＳ１〜ステップＳ５）を実施することで実現される。図４を参照しながら説明する。
【００４８】
蒸気圧縮式冷凍サイクル１００の運転指令がＯＮになると、外気温度センサ１５は、凝縮器３近傍での空気温度を検出する。（ステップＳ１）。
【００４９】
制御装置１８は、圧力センサ１３から冷媒の圧力値を検出されるとともに、温度センサ１５から冷媒の温度を取得する。この後、制御装置１８は、圧力センサ１３から得られた圧力値に基づき、その圧力における冷媒の飽和温度を算出する。（ステップＳ２）。
【００５０】
上記ステップＳ２で冷媒の飽和温度の算出が完了すると、制御装置１８はこの飽和温度と、内部熱交換器５の入口に設置された温度センサ１７で得られた温度とを比較して冷媒の過熱度ＳＨを算出する。（ステップＳ３）。ここで、過熱度ＳＨは、内部熱交換器５の入口側での温度と、出口側での温度との温度差のことである。
【００５１】
次に、過熱度ＳＨとあらかじめ設定された目標値である過熱度目標値ＳＨｓとを比較し、その比較結果に基づいて、制御装置１８は第２の膨張装置８の開度を決定する。
【００５２】
過熱度ＳＨと過熱度目標値ＳＨｓとを比較した結果、過熱度目標値ＳＨｓが過熱度ＳＨよりも大きい（過熱度目標値ＳＨｓ＞過熱度ＳＨ）場合は、第２の膨張装置８の開度を小さくするように制御し、過熱度目標値ＳＨｓが過熱度ＳＨよりも小さい（過熱度目標値ＳＨｓ＜過熱度ＳＨ）場合は、第２の膨張装置８の開度を大きくするように制御する（ステップＳ４）。
ここで、ステップＳ４において、制御装置１８が第２の膨張装置８の開度決定及びその決定結果を第２の膨張装置８に指示する。
【００５３】
上記ステップＳ４で、制御装置１８は第２の膨張装置８の開度制御を実施した後、さらに、制御が必要かどうかを判断する。すなわち、蒸気圧縮式冷凍サイクル１００の継続運転が必要であるかどうかを判断し、さらに継続運転が必要な場合は、ＹＥＳへ進んでＳ１に戻り、継続運転が必要でない場合はＮＯへ進み、制御装置１８による第２の膨張装置８の開度制御を終了する。（ステップＳ５）。
ここで、ステップＳ５は、第２の膨張装置８の開度を再度計算させるか、させないかを判断するステップである。
【００５４】
以降、上記ステップＳ１〜Ｓ５の処理を繰り返し実施する。
【００５５】
実施の形態２．
この発明の実施の形態２を示す蒸気圧縮式冷凍サイクル２００では、システム構成、Ｐ―Ｈ線図、及び、制御フローは基本的に実施の形態１と同じであるので省略し、実施の形態１との相違点を主体に図５で説明する。
【００５６】
本実施の形態２は、インジェクションポート１６へ導入される副冷媒配管の近傍に、第２の加熱手段である送風式熱交換器１０を新たに設置して、内部熱交換器５と送風式熱交換器１０との２種類の加熱手段を用いてインジェクションポート１６から圧縮機１内部へ注入する冷媒の加熱を実施する。
【００５７】
このため、インジェクションポート１６へ導入される副冷媒配管を流れるＨＦＯ冷媒に過熱度ＳＨを付加することが容易となり、実施の形態１と比較して、圧縮機出口側での吐出温度の低下を防止し、さらに高効率な給湯・加温用冷凍サイクルを実現できる。
【００５８】
さらに、本実施の形態２では、２種類の加熱手段を使用することに加え、第２の加熱手段である送風式熱交換器１０にファンが付属しておりインバータにて回転数制御を行う。このため、熱交換器をコンパクトに設計しながら十分な熱交換量を得ることが可能で、所望の温度の過熱冷媒を圧縮機のインジェクションポート１６から安定的に供給できる。本実施の形態２では、実施の形態１のＰ―Ｈ線図よりも状態ｈ，ｊが高エンタルピー領域側（右側）にシフトする。
【００５９】
また、実施の形態２に係わる冷凍サイクルは、送風式熱交換器１０の熱交換器面積を増加させることで、上記ファンの設置を省略することも可能である。
【００６０】
また、送風式熱交換器１０に加えて制御盤の排熱を熱源として利用しても構わない（図７参照）。この場合、更なる過熱度ＳＨを付加する効果が期待される。
なお、第６図に示されているように、制御装置１８が、圧力センサ１３及び、温度センサ１４で検出された冷媒の検出値をもとに、第２の膨張装置８及び送風式熱交換器１０を制御する際の制御信号の流れが示されている。
【００６１】
実施の形態３．
この発明の実施の形態３を示す蒸気圧縮式冷凍サイクル３００では、システム構成、Ｐ―Ｈ線図、及び、制御フローは基本的に実施の形態１と同じであるので省略し、実施の形態２との相違点を主体に図８で説明する。
【００６２】
本実施の形態３では、実施の形態２の送風式熱交換器１０と同じ位置に第２の加熱手段である循環式熱交換器１１が設けられており、置き換えられている。すなわち、インジェクションポート１６へ導入される副冷媒配管の近傍に、圧縮機１の排熱を回収した液体（空気もしくはブライン）との間で熱交換を行う第２の加熱手段である循環式熱交換器１１及びポンプ１２を新たに設置して、内部熱交換器５と、循環式熱交換器１１との２種類の加熱手段を用いてインジェクションポート１６から圧縮機１内部へ注入する冷媒の加熱を実施する。
【００６３】
ここで、循環式熱交換器１１は、副冷媒配管の近傍に圧縮機１の排熱を回収した液体（空気もしくはブライン）を利用して、副冷媒配管を流れる冷媒の加熱をする。ポンプ１２は、圧縮機１と循環式熱交換器１１との間を接続する配管の途中に配置されており、圧縮機１の排熱を回収した液体（空気もしくはブライン）を循環させている。
【００６４】
このため、インジェクションポート１６へ導入される副冷媒配管を流れるＨＦＯ冷媒に過熱度ＳＨを付加することが容易となり、実施の形態１と比較して、圧縮機出口側での吐出温度の低下を防止し、さらに高効率な給湯・加温用冷凍サイクルを実現できる。本実施の形態３では、実施の形態１のＰ―Ｈ線図よりも状態ｈ，ｊが高エンタルピー領域側（右側）にシフトする。
【００６５】
なお、上記において、実施の形態３の変形例としてインジェクション回路９を圧縮機１に直接巻きつけて熱交換させることで、循環式熱交換器１１及びポンプ１２と、それに付随する（水もしくはブライン）からなる液体回路を省略することも出来る。ここで、実施の形態３の変形例は、液タイプの巻き付け型であるが、共に熱源が液タイプの加熱型であることに変わりはない。
なお、第９図に示されているように、制御装置１８が、圧力センサ１３及び、温度センサ１４で検出された冷媒の検出値をもとに、第２の膨張装置８及び循環式熱交換器１１、ポンプ１２を制御する際の制御信号の流れが示されている。
【００６６】
実施の形態４．
この発明の実施の形態４を示す蒸気圧縮式冷凍サイクル５００では、システム構成、Ｐ―Ｈ線図、及び、制御フローは基本的に実施の形態１と同じであるので省略し、実施の形態１との相違点を主体に図１０で説明する。
【００６７】
実施の形態４は、受液器４内に溜められた気液２相流状態の冷媒のうち加熱蒸気となった気相状態のガス部分（気体冷媒）が、受液器４上部から第２の膨張装置８の入力側へ流れこむように、この気体冷媒用の出力経路を追加して、単一の加熱手段である内部熱交換器５内での熱交換効率を向上させる。
【００６８】
実施の形態４の構成に関し、構成における実施の形態１乃至実施の形態３との違いは、受液器４上部にこの気体冷媒用の出力経路が新たに追加で設けられている点である。この冷媒配管の一端が受液器４上部の液面の近くに接し、他端が第２の膨張装置８の入力側と接続されている。そして、この受液器４に溜められた気液２相流状態の冷媒のうち、加熱蒸気となった気相状態のガス部分が、第２の膨張装置８の入力側へ流れこみ、第２の膨張装置８を介して内部熱交換器５の上側の入口へ流入し、液体部分が内部熱交換器５の下側の入口へ流入する。この後、内部熱交換器５の内部で、副冷媒配管を流れる冷媒と主冷媒配管を流れる冷媒との間で熱交換される。
【００６９】
このため、内部熱交換器５において、インジェクションポート１６へ導入される副冷媒配管を流れるＨＦＯ冷媒に過熱度ＳＨを付加することが容易となり、実施の形態１と比較して、圧縮機出口側での吐出温度の低下を防止し、さらに高効率な給湯・加温用冷凍サイクルを実現できる。本実施の形態４では、実施の形態１乃至実施の形態３のＰ―Ｈ線図よりも状態ｈ，ｊが高エンタルピー領域側（右側）にシフトする。
【００７０】
以上のように、本願発明では、吐出温度が低くなる傾向があるＨＦＯ冷媒を用いた場合にも、圧縮機に中間インジェクションする冷媒の温度を適正な過熱状態に保ち、圧縮機の出口における吐出温度の低下の防止、ひいては冷凍サイクルの運転効率（ＣＯＰ）の改善することができる。
【００７１】
ところで、上記説明では１台の凝縮器３と１台の蒸発器７とを接続した例を用いたが、複数台の凝縮器や、蒸発器が接続されても構わない。
【００７２】
また、上記説明では、暖房運転を用いた例で説明したが、これを冷房運転に置き換えた場合でも同様の効果が得られるのは言うまでもない。なお、本システムは一例であって、本発明はこのシステム構成に限定するものではない。
【００７３】
また、本願発明の蒸気圧縮式冷凍サイクルは、給湯利用分野のみならず、その他の分野に適用されても良い。
【００７４】
この発明の主旨を逸脱しない範囲において、各実施例に開示された技術を適宜組み合わせても良いことは言うまでもない。
【符号の説明】
【００７５】
１  圧縮機、２  四方弁、３  凝縮器、４  受液器、５  内部熱交換器、６  第１の膨張装置、７  蒸発器、８   第２の膨張装置、９  インジェクション回路、１０  送風式熱交換器、１１  循環式熱交換器、１２  ポンプ、１３  圧力センサ、１４  温度センサ、１５  外気温度センサ、１６  インジェクションポート、１７  温度センサ、１８  制御装置、１００，２００，３００，４００，５００  蒸気圧縮式冷凍サイクル
【図１】
0006038402.tif 000002
【図２】
0006038402.tif 000003
【図３】
0006038402.tif 000004
【図４】
0006038402.tif 000005
【図５】
0006038402.tif 000006
【図６】
0006038402.tif 000007
【図７】
0006038402.tif 000008
【図８】
0006038402.tif 000009
【図９】
0006038402.tif 000010
【図１０】
0006038402.tif 000011
【図１１】
0006038402.tif 000012
【図１２】
0006038402.tif 000013